(57)【特許請求の範囲】
【請求項１】
押しボタンスイッチによりアイテムを選択する自動券売機において、
複数の前記押しボタンスイッチ群により構成されるアイテム選択手段と、該アイテム選択手段により選択されたアイテムに相当する金銭の決済を行なう金銭処理部と、
前記アイテム選択手段を用いて選択した特定アイテムに係る券を発行する券発行手段と、前記各手段を制御する制御手段と、を備えた自動券売機であって、
前記押しボタンスイッチは、可動片と、該可動片を押し下げたときにＯＮ状態となるメインスイッチとを備えており、前記可動片は、メインアイテムを表示するメインアイテム表示部と、該メインアイテムに係る付加的要素であるサブアイテムを表示する複数のサブアイテム表示部と、前記サブアイテム表示部毎に設けられ該サブアイテム表示部を利用者が接触した時にＯＮ状態となるサブスイッチと、を有するものであり、
前記制御手段は、前記メインスイッチのみがＯＮ状態となる第１のＯＮ状態又は、前記サブスイッチのいずれかと前記メインスイッチの双方がＯＮ状態となる第２のＯＮ状態を検知して、前記各ＯＮ状態に対応したアイテムに係る券を発行することを特徴とする自動券売機。
【請求項２】
前記制御手段は、前記第１のＯＮ状態を検知した場合、予め設定したいずれか１つのサブスイッチが同時にＯＮ状態であると見做すことを特徴とする請求項１に記載の自動券売機。
【請求項３】
前記制御手段は、前記第２のＯＮ状態を検知したとき、前記サブスイッチが複数同時にＯＮ状態の場合は、該サブスイッチのＯＮ状態を無効とすることを特徴とする請求項１又は２に記載の自動券売機。
【請求項４】
前記サブスイッチは、接触センサー又はタッチパッドにより構成されていることを特徴とする請求項１乃至３の何れか一項に記載の自動券売機。
【発明の詳細な説明】
【技術分野】
【０００１】
本発明は、自動券売機に関し、さらに詳しくは、押しボタンスイッチを顧客が押すことにより、購入、或いは利用を希望するアイテムを選択できるようにした自動券売機において、メインアイテムとサブアイテムを１回の操作で選択可能な押しボタンスイッチを備えた自動券売機に関するものである。
【背景技術】
【０００２】
押しボタンスイッチを顧客が押下げることにより顧客が購入、或いは利用を希望するアイテムを選択できるようにした自動券売機では、メインアイテム選択用のスイッチと、メインアイテムに係る付加的要素であるサブアイテムの選択用スイッチが別々に備えられている場合が多い。例えば、食券を発行する券売機の場合、メインアイテムである「ラーメン」に対するサブアイテムが「大盛り」、「並」である場合、複数のメインアイテム用スイッチとは別に、これと離れた位置に独立して個別のサブアイテム用スイッチが配置されている。サブアイテム用スイッチは、全てのメインアイテム用スイッチに共通して使用される。これは、スイッチの総数を減らして選択可能なアイテム数を多くするためと、顧客が一つのメインアイテムを押した後でサブアイテム用スイッチを共通に使用できるようにすることで操作の一貫性を確保するためである。即ち、メインアイテムとして「ラーメン」を選択しても「チャーハン」を選択してもサブアイテムは「大盛り」、「並」のスイッチが共通使用できる。この結果、必ずしも各メインアイテム用スイッチの近傍にサブアイテム用スイッチが配置されているとは限らない。つまり、メインアイテム用スイッチ群とは離間した位置にサブアイテム用スイッチが配置されているため、この券売機の使用機会が少ない顧客にとって操作性の点では必ずしも良いとは言えず、操作の誤りや、ボタンを探すために操作時間が長くなるといった問題が発生する。
【０００３】
この問題を解決するために、特許文献１には、１つの区画領域内にメニュー名、金額、及び口座スイッチを設け、この区画領域を覆うように設けた透明板にメニュー名と金額を表示し、１つの口座スイッチの押下により、当該メニューを選択する自動券売機のパネルについて開示されている。また、特許文献２には、電源スイッチを開閉するために使用者が触れる部分にタッチ電極を設け、電源スイッチがＯＦＦの間はタッチスイッチ回路の電源をＯＦＦとしておき、電源スイッチがＯＮと同時にタッチスイッチ回路の電源が同時にＯＮとなるようにした、スタンド型照明器具について開示されている。
【先行技術文献】
【特許文献】
【０００４】
【特許文献１】特開２００６−９９２５２公報
【特許文献２】特開平５−２８３１７０号公報
【発明の概要】
【発明が解決しようとする課題】
【０００５】
しかしながら、特許文献１に開示されている従来技術は、メニューとそれに関連する付加的選択要素を選択する口座スイッチがまとまって配置されているので、操作性の点では改善されているが、多数の押しボタンスイッチを配置する必要があるため、アイテム数を多くすることが困難であり、コスト高となる。
また、特許文献２に開示されている従来技術は、タッチスイッチと押しボタンスイッチを同時に操作することにより操作性を高めることはできるが、電源スイッチがＯＮの状態ではタッチスイッチ回路には常時電源が供給されているので、タッチスイッチを接触しただけで蛍光灯が点灯してしまい、誤点灯の虞がある。
本発明は、かかる課題に鑑みてなされたものであり、１つの選択スイッチにメインアイテム用のスイッチと複数のサブアイテム用のタッチスイッチを一体型に形成し、サブアイテム用のスイッチにタッチしながらメインアイテム用のスイッチを押すことにより、利便性と操作性を向上させ、且つ１アクションの操作で誤操作の確率を低減することができる自動券売機を提供することを目的とする。
また、他の目的は、タッチパネルタイプの自動販売機と違って、クリック感のある機械式スイッチにより、利用者に安心感を与えることである。
【課題を解決するための手段】
【０００６】
本発明はかかる課題を解決するために、請求項１は、押しボタンスイッチによりアイテムを選択する自動券売機において、複数の前記押しボタンスイッチ群により構成されるアイテム選択手段と、該アイテム選択手段により選択されたアイテムに相当する金銭の決済を行なう金銭処理部と、前記アイテム選択手段を用いて選択した特定アイテムに係る券を発行する券発行手段と、前記各手段を制御する制御手段と、を備えた自動券売機であって、前記押しボタンスイッチは、可動片と、該可動片を押し下げたときにＯＮ状態となるメインスイッチとを備えており、前記可動片は、メインアイテムを表示するメインアイテム表示部と、該メインアイテムに係る付加的要素であるサブアイテムを表示する複数のサブアイテム表示部と、前記サブアイテム表示部毎に設けられ該サブアイテム表示部を利用者が接触した時にＯＮ状態となるサブスイッチと、を有するものであり、前記制御手段は、前記メインスイッチのみがＯＮ状態となる第１のＯＮ状態又は、前記サブスイッチのいずれかと前記メインスイッチの双方がＯＮ状態となる第２のＯＮ状態を検知して、前記各ＯＮ状態に対応したアイテムに係る券を発行することを特徴とする。
【０００７】
本発明では、アイテムを選択する押しボタンスイッチの構造に特徴がある。即ち、１つの押しボタンスイッチの中に、メインアイテムを選択するメインスイッチと、サブアイテムを選択するサブスイッチとを一体的に形成している。従って、スイッチアクションとして２アクションの動作によりアイテムが選択される。具体的には、押しボタンスイッチは、メインアイテムを表示するメインアイテム表示部と、メインアイテムに係る付加的要素であるサブアイテムを表示したサブアイテム表示部と、サブアイテム表示部毎に設けられサブアイテム表示部にタッチした時にＯＮ状態となるサブスイッチと、メインアイテム表示部を押下げた時、又はサブスイッチ表示部にタッチしつつ押下げたときにＯＮ状態となるメインスイッチと、を備え、制御手段は、メインスイッチのみがＯＮ状態となる第１のＯＮ状態と、サブスイッチとメインスイッチの双方がＯＮ状態となる第２のＯＮ状態の何れかを検知して、各ＯＮ状態となったアイテムに係る券を発行する。これにより、利便性と操作性を向上させ、且つ２アクションの操作で誤操作の確率を低減することができる。
また、本発明の特徴は、アイテムを選択するときに、利用者がどのボタンを押すのかを即座に理解できて操作性を高めることである。そのためには、メインスイッチとサブスイッチが近傍で且つ分かり易く配置されていることが重要である。そこで本発明では、メインスイッチとサブスイッチを一体的に形成する。これにより、操作性を高め、且つ誤選択を少なくすることができる。
【０００８】
請求項２は、前記制御手段は、前記第１のＯＮ状態を検知した場合、予め設定したいずれか１つのサブスイッチが同時にＯＮ状態であると見做すことを特徴とする。
例えば、あるメインアイテムのサブアイテムが「大盛」と「並盛」の場合、一般的には「並盛」を選択することが多い。そこで本発明では、メインスイッチのみがＯＮ状態の場合は、デフォルト状態として例えば「並盛」と決めておくことにより、「並盛」のメインアイテムが選択されたと見做す。但し、予め利用者の見える位置にこの旨を表示しておく。これにより、メインスイッチのみがＯＮ状態でも所定のアイテムを選択することができる。
【０００９】
請求項３は、前記制御手段は、前記第２のＯＮ状態を検知したとき、前記サブスイッチが複数同時にＯＮ状態の場合は、該サブスイッチのＯＮ状態を無効とすることを特徴とする。
基本的にはサブアイテムは１つのメインアイテムに対して１つである。その大きな理由は、複数のサブアイテムを許可すると、操作者は複数のサブスイッチを同時に押さなければならず、操作性が悪くなるためである。そこで本発明では、サブスイッチが複数同時にＯＮ状態の場合は、このサブスイッチのＯＮ動作を無効とする。これにより、正しくサブスイッチを押すことを指示することができる。
【００１０】
請求項４は、前記サブスイッチは、接触センサー又はタッチパッドにより構成されていることを特徴とする。
サブスイッチはメインアイテムの付加的要素を示すためにある。例えば、メインアイテムが「ラーメン」の場合、その付加的要素として「大盛」「並盛」といった量を指示したり、「メンマ」「玉子」といった付け合せを追加することができる。また、サブスイッチは複数設ける場合が多いので、必然的にスイッチの大きさが制限される。そのために、構造的にシンプルな接触センサー又はタッチパッドが適している。これにより、押しボタンスイッチの狭い領域に複数のサブスイッチを配置することができる。
【発明の効果】
【００１１】
本発明によれば、制御手段は、メインスイッチのみがＯＮ状態となる第１のＯＮ状態と、サブスイッチとメインスイッチの双方がＯＮ状態となる第２のＯＮ状態の何れかを検知して、各ＯＮ状態となったアイテムに係る券を発行するので、利便性と操作性を向上させ、且つ２アクションの操作で誤操作の確率を低減することができる。
また、メインスイッチとサブスイッチを同一枠体上に一体形成するので、操作性を高め、且つ誤選択を少なくすることができる。
また、メインスイッチのみがＯＮ状態の場合は、サブスイッチをデフォルト状態とするので、メインスイッチのみがＯＮ状態でも所定のアイテムを選択することができる。
また、サブスイッチが複数同時にＯＮ状態の場合は、このサブスイッチのＯＮ動作を無効とするので、正しくサブスイッチを押すことを指示することができる。
また、サブスイッチは構造的にシンプルな接触センサー又はタッチパッドを使用するので、押しボタンスイッチの狭い領域に複数のサブスイッチを配置することができる。
【図面の簡単な説明】
【００１２】
【図１】本発明の実施形態に係る自動券売機の外観を示す図である。
【図２】本発明の実施形態に係る自動券売機の機能ブロック図である。
【図３】本発明の自動券売機の押しボタンスイッチの外観の一例を示す図であり、（ａ）は正面図、（ｂ）、（ｃ）はＡ−Ａ線で切断した断面図であり、（ｂ）は可動片が押されていない状態、（ｃ）は可動片が押された状態を示す図である。
【図４】（ａ）〜（ｃ）は本発明の押しボタンスイッチの利用状況の一例を示す模式図である。
【図５】１つの押しボタンスイッチの信号の様子を示す図である。
【図６】本発明の自動券売機の動作を説明するフローチャートである。
【発明を実施するための形態】
【００１３】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１４】
図１は本発明の実施形態に係る自動券売機の外観を示す図である。この自動券売機１は、選択された特定アイテムの価格に相当する金銭を投入するコイン投入口２及び紙幣挿入口４と、コイン投入と紙幣の挿入を解除する取消レバー３と、釣銭がある場合に押す釣銭ボタン５と、釣銭を払出す紙幣払い出し口６と、選択された特定のアイテムについての決済された情報を印刷した券を取り出したり、釣銭硬貨を払い出す券・硬貨払い出し口７と、装置のエラー時に利用者にその旨を表示する表示部９と、メインアイテムとサブアイテムを選択する複数の押しボタンスイッチ１０により構成されるアイテム選択手段８と、を備えて構成されている。尚、本実施形態では、コイン投入口２、紙幣投入口４、取消レバー３、釣銭ボタン５、及び紙幣払い出し口６、券・硬貨払い出し口７を含めて金銭処理部１２と呼ぶ。
まず、本自動券売機１の概略的な動作について説明する。利用者がこの自動券売機１の前面側に立つと、利用者を検知した図示しない近接センサが制御部１３に検知情報を出力し、制御部１３はアイテム選択手段８の表示部を点灯させる。利用者は、アイテム選択手段８に表示されたメニュー内容から、特定のアイテムに相当する料金をコイン投入口２及び紙幣投入口４に投入する。そして、特定のアイテムの押しボタンスイッチ１０を押下することにより、そのアイテム情報が印刷された食券が券・硬貨払い出し口７から発行される。ここで、押しボタンスイッチ１０は、メインアイテムを選択するメインスイッチ、このメインアイテムに係る付加的要素であるサブアイテムを選択する少なくとも１つ以上のサブスイッチ、及びメインアイテム及びサブアイテムが選択されたことを表示する照明手段を備えている（詳細は後述する）。
【００１５】
図２は本発明の実施形態に係る自動券売機の機能ブロック図である。同じ構成要素には図１と同じ参照番号を付して説明する。この自動券売機１は、複数の押しボタンスイッチ群１０により構成されるアイテム選択手段８と、アイテム選択手段８により選択されたアイテムに相当する金銭の決済を行なう金銭処理部１２と、顧客がアイテム選択手段８を用いて選択した特定アイテムに係る券を発行する券印刷部（券発行手段）１１と、装置のエラー時に利用者にその旨を表示する表示部９と、各手段を制御する制御部（制御手段）１３と、を備えた自動券売機１である。また、アイテム選択手段８からは、メインスイッチが押されたときにＯＮとなるメインスイッチ信号Ａと、例えば、サブスイッチが３つある場合に、夫々のサブスイッチが押されたときにＯＮとなるサブスイッチ信号ａ、ｂ、ｃが制御部１３に入力され、制御部１３から選択されたアイテムを明示するための例えばランプを点灯するランプ信号１４がアイテム選択手段８に出力される。
【００１６】
図３は本発明の自動券売機の押しボタンスイッチの外観の一例を示す図であり、図３（ａ）は正面図、図３（ｂ）、（ｃ）はＡ−Ａ線で切断した断面図であり、図３（ｂ）は可動片２１が押されていない状態、図３（ｃ）は可動片２１が押された状態を示す。この押しボタンスイッチ１０は、裏面側に突出する爪２９を備えた枠体２０と、枠体２０の前後方向へ回動自在に支持された可動片２１と、可動片２１が押されたときに動作するメインスイッチ２５と、装置本体側のプラグを接続するためのコネクタ２７と、を備えて構成されている。尚、可動片２１は、メインアイテムを表示するメインアイテム表示部２３と、サブアイテムを表示するサブアイテム表示部２２を有し、この例ではメインアイテム表示部２３には、「ラーメン」と標記され、サブアイテム表示部２２には、「大盛」、「並盛」、「ミニ」の３つのサブスイッチ２４が備えられている。尚、サブスイッチ２４はタッチセンサとして以下に説明する。また、メインアイテムを明示するために、可動片２１の裏側には図示しないＬＥＤ等の照明手段を有する。
押しボタンスイッチ１０は、メインアイテムを表示するメインアイテム表示部２３と、メインアイテムに係る付加的要素であるサブアイテムを表示するサブアイテム表示部２２と、サブアイテム表示部毎に設けられサブアイテム表示部に接触した時にＯＮ状態となるサブスイッチ２４と、メインアイテム表示部２３を押下げた時、又はサブアイテム表示部２２を押下げしときにＯＮ状態となるメインスイッチ２５と、を有し、制御部１３は、メインスイッチ２５のみがＯＮ状態となる第１のＯＮ状態と、サブスイッチ２４とメインスイッチ２５の双方がＯＮ状態となる第２のＯＮ状態の何れかを検知して、各ＯＮ状態となったアイテムに係る券を発行する。即ち、図３（ｂ）の状態では、可動片２１は矢印Ａ方向に付勢されているので、メインスイッチ２５はＯＦＦ状態であり、且つサブスイッチ２４も接触されていないのでＯＦＦ状態である。ここで、利用者が例えば、「ラーメン」の「大盛」を選択する場合を想定すると、メインアイテム表示部２３に「ラーメン」と標記された押しボタンスイッチのサブアイテム表示部２２の「大盛」のサブスイッチ２４を図３（ｃ）のように指２８でＢ方向に接触しながら深く押すことにより、可動片２２がメインスイッチ２５に接触して、メインスイッチ２５をＯＮ状態とする。
【００１７】
本発明では、アイテムを選択する押しボタンスイッチ１０の構造に特徴がある。即ち、１つの押しボタンスイッチ１０に、メインアイテムを選択するメインスイッチ２５と、サブアイテムを選択するサブスイッチ２４とを一体的に形成する。従って、スイッチアクションとして１アクションの動作によりアイテムとそのアイテムに係るサブアイテムが同時に選択される。具体的には、メインスイッチ２５はサブスイッチ２４をＯＮ状態のまま押下することによりＯＮ状態となる構成を有し、制御部１３は、メインスイッチ２５及びサブスイッチ２４の双方がＯＮ状態であることを検知することにより、この押しボタンスイッチに係るメインアイテムとサブアイテムが選択されたと判断する。これにより、利便性と操作性を向上させ、且つ１アクションの操作で誤操作の確率を低減することができる。
また、サブスイッチ２４はメインアイテムの付加的要素を示すためにある。例えば、メインアイテムが「ラーメン」の場合、その付加的要素として「大盛」「並盛」「ミニ」といった量を指示したり、「メンマ」「玉子」といった付け合せを追加することができる。また、サブスイッチ２４は複数設ける場合が多いので、必然的にスイッチの大きさが制限される。そのために、構造的にシンプルな接触センサー又はタッチパッドが適している。これにより、押しボタンスイッチの狭い領域に複数のサブスイッチを配置することができる。
本発明の最も大きな特徴は、アイテムを選択するときに、利用者がどのボタンを押すのかを即座に理解できて操作性を高めることである。そのためには、メインスイッチ２５とサブスイッチ２４が近傍で且つ分かり易く配置されていることが重要である。そこで本実施形態では、メインスイッチ２５とサブスイッチ２５を同一枠体２０上に一体形成する。これにより、操作性を高め、且つ誤選択を少なくすることができる。
【００１８】
図４は本発明の押しボタンスイッチの利用状況の一例を示す模式図である。この例では、電鉄会社の乗車券の券売機に応用した例である。図４（ａ）のように、メインアイテム表示部２３には車両の行き先「東京」が表示され、サブアイテム表示部２２には、乗車券の枚数を指定する「１人」「２人」「３人」のサブスイッチが設けられている。同じ行き先に２人が行く場合は、「２人」のサブスイッチに触れながら可動片２１を押すことにより、２枚の東京行きの乗車券を同時に購入することができる。また、図４（ｂ）のように、メインアイテム表示部２３には車両の行き先「東京」が表示され、サブアイテム表示部２２には、車両の等級を示す「普通」、「グリーン」のサブスイッチが設けられている。例えばグリーン車を利用する場合は、「グリーン」のサブスイッチに触れながら可動片２１を押すことにより、グリーン車両の乗車券を購入することができる。また、図４（ｃ）のように、メインアイテム表示部２３には車両の行き先「大阪」が表示され、サブアイテム表示部２２には、乗車する利用者が大人か子供かを示す「大人」、「子供」のサブスイッチが設けられている。例えば大人が利用する場合は、「大人」のサブスイッチに触れながら可動片２１を押すことにより、大人の乗車券を購入することができる。尚、サブスイッチに触れずにメインアイテム表示部２３を押下したときは、メインアイテムの標準的なメニューを選択したものとする。例えば、（ａ）では「１人」、（ｂ）では「普通」、（ｃ）では「大人」を選択したものと制御部１３が判断する。
【００１９】
図５は１つの押しボタンスイッチの信号の様子を示す図である。この図ではメインアイテム表示部２３にはメインアイテム表示面２３Ａがあり、可動片２１が押されることによりメインスイッチ２５の信号「Ａ」がＯＮとなる。また、サブアイテム表示部２２には、３つのサブアイテム表示面２２ａ、２２ｂ、２２ｃがあり、夫々にサブスイッチ２４が個別に設けられている。従って、各サブスイッチからは信号「ａ」「ｂ」「ｃ」が出力される。制御部１３はこの信号のＯＮ／ＯＦＦ状態を検出してどの押しボタンスイッチが押されたかを判断することができる。例えば、信号Ａと信号ｂがＯＮの場合は、メインアイテム表示面２３Ａとサブアイテム表示面２２ｂが同時に押されたと判断して、その信号に対応したアイテムが選択されたと見做す。従って、通常はサブスイッチ２４とメインスイッチ２５が同時に押されるが、この実施形態の場合は、メインスイッチ２５のみが押される場合もありうるので、その場合は、予め決定したサブスイッチ２４のいずれか１つが同時に押されたと判断するように構成すれば良い。
【００２０】
図６は本発明の自動券売機の動作を説明するフローチャートである。本フローチャートの説明では、図５の構成の場合について説明する。制御部１３は硬貨投入口２又は紙幣投入口４から金銭が投入されたか否かをチェックする（Ｓ１）。ここで金銭が投入されると（Ｓ１でＹ）、図６のＡＮＤ回路３１の信号をチェックして信号が出力されればメインアイテムとサブアイテムを同時に選択したと判断して（Ｓ２でＹ）、次にサブスイッチ信号を検索して複数の信号がＯＮの場合は（Ｓ３でＹ）、表示部９にエラー表示する（Ｓ１１）。基本的にはサブアイテムは１つのメインアイテムに対して１つである。その大きな理由は、複数のサブアイテムを許可すると、操作者は複数のサブスイッチを同時に押さなければならず、操作性が悪くなるためである。そこで実施例では、サブスイッチが複数同時にＯＮ状態の場合は、このサブスイッチのＯＮ動作を無効とする。これにより、正しくサブスイッチを押すことを指示することができる。もちろん、複数のサブスイッチを同時に押すことで利用者の利便性が向上するような場面では、これを許容してもよい。
【００２１】
一方、ステップＳ３でサブスイッチが複数ＯＮでなければ（Ｓ３でＮ）、サブアイテムＯＮのままメインアイテムがＯＮかを判断して（Ｓ４）、もし、メインアイテムだけＯＮであれば（Ｓ４でＮ）、デフォルトのサブアイテムをＯＮとして（Ｓ１４）メインアイテムの表示をＯＮとする（Ｓ５）。例えば、あるメインアイテムのサブアイテムが「大盛」と「並盛」の場合、一般的には「並盛」を選択することが多い。そこで本発明では、メインスイッチ２５のみがＯＮ状態の場合は、デフォルト状態として例えば「並盛」と決めておくことにより、「並盛」のメインアイテムが選択されたと見做す。但し、予め利用者の見える位置にこの旨を表示しておく。これにより、メインスイッチのみがＯＮ状態でも所定のアイテムを選択することができる。
一方、ステップＳ４でサブアイテムＯＮのままメインアイテムがＯＮであれば（Ｓ４でＹ）、メインアイテムの表示をＯＮとする（Ｓ５）。そして、選択したアイテムの合計金額が計算されて（Ｓ６）、その合計金額に対して投入金額が不足であるか否かをチェックする（Ｓ７）。不足の場合は（Ｓ７でＹ）、不足金額をタッチパネル２に表示して（Ｓ１２）、不足金額が投入されるまで繰り返す。実際は時間を監視しておき、所定の時間が経過しても不足金額が投入されない場合は、全てをキャンセルしてつり銭口７から投入金額を返金する。ステップＳ７で不足がない場合、或いは不足金額が投入された場合は（Ｓ７でＮ）、つり銭の有無をチェックして（Ｓ８）、つり銭があれば（Ｓ８でＹ）つり銭をつり銭口７に払い出し（Ｓ９）、食券を券印刷部１１で印刷して発行する（Ｓ１０）。
【符号の説明】
【００２２】
１  自動券売機、２  硬貨投入口、３  取消レバー、４  紙幣投入口、５  釣銭ボタン、６  紙幣払い出し口、７  券・硬貨払い出し口、８  アイテム選択手段、９  表示部、１０  押しボタンスイッチ、１１  券印刷部、１２  金銭処理部、１３  制御部、１４  ランプ信号、２０  枠体、２１  可動片、２２  サブアイテム表示部、２３  メインアイテム表示部、２４  サブスイッチ、２５  メインスイッチ、２７  コネクタ、２８  指、２９  爪、３０  ＯＲ回路、３１  ＡＮＤ回路
【図１】
0005417642.tif 000002
【図２】
0005417642.tif 000003
【図３】
0005417642.tif 000004
【図４】
0005417642.tif 000005
【図５】
0005417642.tif 000006
【図６】
0005417642.tif 000007